(57)【要約】【課題】  ディスプレイ装置及び電子機器において、低コストで、かつ従来と異なる視覚効果によって高いデザイン性を得ること。【解決手段】  表示領域４に複数の発光部５が配置されたディスプレイ装置１であって、複数の発光部５が、それぞれ発光面５ａにその一部が欠けた非発光部分５ｂを有していると共に、錯視による主観的輪郭の一部となる位置に該一部の形状に合わせた非発光部分５ｂを配して設置されている。これにより、使用者や操作者に錯視を生じさせて所定の文字や図形等の主観的輪郭を視認させることができる。【選択図】  図１
2010004178.tif 000002
【特許請求の範囲】
【請求項１】
表示領域に複数の発光部が配置されたディスプレイ装置であって、
複数の前記発光部が、それぞれ発光面にその一部が欠けた非発光部分を有していると共に、錯視による主観的輪郭の一部となる位置に該一部の形状に合わせた前記非発光部分を配して設置されていることを特徴とするディスプレイ装置。
【請求項２】
請求項１に記載のディスプレイ装置において、
複数の前記発光部が、カニッツア錯視による主観的輪郭の角部となる位置に該角部の形状に合わせた前記非発光部分を配して設置されていることを特徴とするディスプレイ装置。
【請求項３】
請求項１又は２に記載のディスプレイ装置において、
同時に発光させる複数の前記発光部の組合せを変更可能な発光制御部を備え、
複数の前記発光部が、前記組合せ毎に異なる形状の前記主観的輪郭の一部に前記非発光部分を配して設置されていることを特徴とするディスプレイ装置。
【請求項４】
請求項１から３のいずれか一項に記載のディスプレイ装置において、
複数の前記発光部が、ＬＥＤ光源であることを特徴とするディスプレイ装置。
【請求項５】
請求項４に記載のディスプレイ装置において、
前記ＬＥＤ光源が、ＬＥＤ素子と、
該ＬＥＤ素子を封止すると共に前記発光面となる光出射面を有する封止樹脂部と、を備え、
前記封止樹脂部の光出射面の一部が遮光膜で覆われて前記非発光部分とされていることを特徴とするディスプレイ装置。
【請求項６】
請求項４に記載のディスプレイ装置において、
前記ＬＥＤ光源が、ＬＥＤ素子と、
該ＬＥＤ素子の周囲に設けられＬＥＤ素子からの光を上方に反射させる反射面を有した反射カップと、
該反射カップの上方を覆って設置され一部が光透過可能な前記発光面とされたカップ上シートと、を備えていることを特徴とするディスプレイ装置。
【請求項７】
請求項１から３のいずれか一項に記載のディスプレイ装置において、
前記発光部が、光源と、
該光源からの光を入光して導光し光路変換して主面から出射する板状の導光体と、
該導光体の主面に載置され一部が光透過可能な前記発光面とされた導光体上シートと、を備えていることを特徴とするディスプレイ装置。
【請求項８】
請求項１から３のいずれか一項に記載のディスプレイ装置において、
面状光源と、
該面状光源上に設置され前記発光面となる複数の光透過部のみ光が透過可能な表示板と、を備えていることを特徴とするディスプレイ装置。
【請求項９】
請求項１から８のいずれか一項に記載のディスプレイ装置を備えていることを特徴とする電子機器。
【発明の詳細な説明】
【技術分野】
【０００１】
本発明は、例えば携帯電話機やノート型パーソナルコンピュータ（ＰＣ）、看板等のデザイン性を向上させることができるディスプレイ装置及び電子機器に関する。
【背景技術】
【０００２】
携帯電話機、ノート型ＰＣ（パーソナルコンピュータ）等では、折り畳み可能な筐体を備えたものが多い。特に携帯電話機では、筐体の内側に設けられたメインの液晶表示装置だけでなく、筐体の外側にもデザイン性向上や遊び用途等のため、ＬＥＤ光源や液晶表示パネル又は有機ＥＬパネル等の簡易的なディスプレイ装置が搭載されて背面照明や情報表示等を行う機器が普及している。
【０００３】
従来、例えば特許文献１には、折り畳み型の携帯電話機等において、筐体の外側に複数のＬＥＤ等の発光素子が設けられ、発光素子駆動手段によりこれら発光素子を選択的に駆動して表示データに基づく表示を行う携帯端末装置が提案されている。この技術では、表示を行うために筐体の外側に多数のＬＥＤをマトリクス状に配列させて設置している。
【０００４】
【特許文献１】特開２００６−３３２２０号公報（図２）
【発明の開示】
【発明が解決しようとする課題】
【０００５】
しかしながら、上記従来の技術には、以下の課題が残されている。
上記特許文献１に記載の技術では、文字や図形等を表示するために多数のＬＥＤ等の発光素子を筐体の外側に搭載しなければならず、部材点数及び部材コストの増大を招くという不都合があった。また、従来のディスプレイ装置は、使用者や操作者に対して視認させたい文字又は図形等の形状そのままを光らせる等して表示するものであるが、異なる視覚効果を用いてさらにデザイン性を向上させることも要望されている。
【０００６】
本発明は、前述の課題に鑑みてなされたもので、低コストで、かつ従来と異なる視覚効果によって高いデザイン性を得ることができるディスプレイ装置及び電子機器を提供することを目的とする。
【課題を解決するための手段】
【０００７】
本発明は、前記課題を解決するために以下の構成を採用した。すなわち、本発明のディスプレイ装置は、表示領域に複数の発光部が配置されたディスプレイ装置であって、複数の前記発光部が、それぞれ発光面にその一部が欠けた非発光部分を有していると共に、錯視による主観的輪郭の一部となる位置に該一部の形状に合わせた前記非発光部分を配して設置されていることを特徴とする。
【０００８】
このディスプレイ装置では、発光面の一部が欠けて非発光部分を有する複数の発光部が、錯視による主観的輪郭の一部となる位置に該一部の形状に合わせた非発光部分を配して設置されているので、使用者や操作者に錯視を生じさせて所定の文字や図形等の主観的輪郭を視認させることができる。したがって、視認させたい文字や図形等の形状に沿って多数のＬＥＤ光源等の発光部を設置する従来の場合に比べて、本発明では、最低限、主観的輪郭の一部のみに発光部を配置すればよく、少ない発光部で所定の文字や図形等を使用者等に錯視によって認識させることができる。これにより、低コストで、かつ錯視という従来とは異なる視覚効果によって高いデザイン性を得ることができる。
【０００９】
また、本発明のディスプレイ装置は、複数の前記発光部が、カニッツア錯視による主観的輪郭の角部となる位置に該角部の形状に合わせた前記非発光部分を配して設置されていることを特徴とする。すなわち、このディスプレイ装置では、発光面の一部が欠けて非発光部分を有する複数の発光部が、カニッツア錯視による主観的輪郭の角部となる位置に該角部の形状に合わせた非発光部分を配して設置されているので、使用者や操作者にカニッツア錯視を生じさせて所定の文字や図形等の主観的輪郭を視認させることができる。
【００１０】
また、本発明のディスプレイ装置は、同時に発光させる複数の前記発光部の組合せを変更可能な発光制御部を備え、複数の前記発光部が、前記組合せ毎に異なる形状の前記主観的輪郭の一部に前記非発光部分を配して設置されていることを特徴とする。すなわち、このディスプレイ装置では、複数の発光部が、組合せ毎に異なる形状の主観的輪郭の一部に非発光部分を配して設置され、発光制御部によって上記組合せが変更可能であるので、発光させる発光部の組合せを変更することで、錯視によって視認される主観的輪郭が変わり、使用者等に対し、あたかも表示された文字や図形等が変わったり、移動したりするように感じさせることができる。
【００１１】
また、本発明のディスプレイ装置は、複数の前記発光部が、ＬＥＤ光源であることを特徴とする。すなわち、このディスプレイ装置では、複数の発光部が、ＬＥＤ光源であるので、ＬＥＤ光源の実装個数が少なくて済み、低コストかつ低電力で錯視による視覚効果を得ることができる。
【００１２】
さらに、本発明のディスプレイ装置は、前記ＬＥＤ光源が、ＬＥＤ素子と、該ＬＥＤ素子を封止すると共に前記発光面となる光出射面を有する封止樹脂部と、を備え、前記封止樹脂部の光出射面の一部が遮光膜で覆われて前記非発光部分とされていることを特徴とする。すなわち、このディスプレイ装置では、ＬＥＤ素子を封止する封止樹脂部の光出射面の一部が、遮光膜で覆われて非発光部分とされているので、遮光膜の形状を変えるだけで様々な大きさ及び形状の非発光部分を容易に形成することができる。
【００１３】
また、本発明のディスプレイ装置は、前記ＬＥＤ光源が、ＬＥＤ素子と、該ＬＥＤ素子の周囲に設けられＬＥＤ素子からの光を上方に反射させる反射面を有した反射カップと、該反射カップの上方を覆って設置され一部が光透過可能な前記発光面とされたカップ上シートと、を備えていることを特徴とする。すなわち、このディスプレイ装置では、ＬＥＤ素子から出射された光が反射カップで上方に反射され、反射カップを覆うカップ上シートの光透過可能な発光面を介して外部に出射されるため、非発光部分で一部が欠けた発光面が点灯する。したがって、カップ上シートを取り替えることで、様々な形状の非発光部分で一部が切り欠かれた発光面を設定することができる。
【００１４】
また、本発明のディスプレイ装置は、前記発光部が、光源と、該光源からの光を入光して導光し光路変換して主面から出射する板状の導光体と、該導光体の主面に載置され一部が光透過可能な前記発光面とされた導光体上シートと、を備えていることを特徴とする。すなわち、このディスプレイ装置では、光源から出射された光が導光体内で導光されると共に光路変換されて主面から面状に、導光体上シートの光透過可能な発光面を介して外部に出射されるため、非発光部分で一部が切り欠かれた発光面が点灯する。したがって、発光面の面積をＬＥＤ光源等の光源だけで得る場合に比べて大きくすることができ、より広いディスプレイ表示が可能になる。
【００１５】
また、本発明のディスプレイ装置は、面状光源と、該面状光源上に設置され前記発光面となる複数の光透過部のみ光が透過可能な表示板と、を備えていることを特徴とする。すなわち、このディスプレイ装置では、面状光源と、該面状光源上に設置され発光面となる複数の光透過部のみ光が透過可能な表示板と、を備えているので、大面積にも容易に対応可能になると共に、複数の光透過部の位置を変更した表示板に取り替えるだけで、容易に様々な主観的輪郭を錯視により認識させることが可能である。
【００１６】
さらに、本発明のディスプレイ装置は、前記表示板が、液晶表示パネルであることを特徴とする。すなわち、このディスプレイ装置では、表示板が液晶表示パネルであるので、発光部となる光透過部の位置や形状を多様に変えることができ、錯視させたい文字や図形等の主観的輪郭を変えたり、移動したりすることが容易である。
【００１７】
本発明の電子機器は、上記本発明のディスプレイ装置を備えていることを特徴とする。すなわち、この電子機器では、上記本発明のディスプレイ装置を備えているので、従来と異なる視覚効果によって高いデザイン性を備えた携帯電話機やノート型ＰＣ等を得ることができる。
【発明の効果】
【００１８】
本発明によれば、以下の効果を奏する。
すなわち、本発明に係るディスプレイ装置及び電子機器によれば、一部が欠けて非発光部分となった発光面を有する複数の発光部が、錯視による主観的輪郭の一部となる位置に該一部の形状に合わせた非発光部分を配して設置されているので、多数の光源を使用しなくても、少ない発光部で使用者等に錯視を生じさせて所定の文字や図形等の主観的輪郭を視認させることができる。したがって、このディスプレイ装置を備えた携帯電話機やノート型ＰＣ等の電子機器では、従来と異なる視覚効果によって高いデザイン性を備えることができる。
【発明を実施するための最良の形態】
【００１９】
以下、本発明に係るディスプレイ装置及び電子機器の第１実施形態を、図１から図４に基づいて説明する。なお、以下の説明に用いる各図面では、各部材を認識可能な大きさとするために縮尺を適宜変更している。
【００２０】
本実施形態におけるディスプレイ装置１は、図１から図３に示すように、折り畳み型の携帯電話機（電子機器）２に搭載されるものであって、携帯電話機２の筐体３の外側に表示領域４を配して設置され、該表示領域４に複数の発光部５が配置されている。
なお、本実施形態のディスプレイ装置１では、縦４列及び横６例のマトリクス状に発光部５が配列されている。
【００２１】
上記複数の発光部５は、それぞれ発光面５ａの一部が欠けて非発光部分５ｂを有していると共に、錯視による主観的輪郭の一部となる位置に該一部の形状に合わせた非発光部分５ｂを配して設置されている。例えば、複数の発光部５は、カニッツア錯視による主観的輪郭の角部となる位置に該角部の形状に合わせた非発光部分５ｂを配して設置されている。本実施形態では、円形の一部が楔状に切り欠かれて扇状の暗部とされる非発光部分５ｂが発光面５ａに設けられている。
【００２２】
上記カニッツア錯視は、例えば一部が楔状に欠けた複数の黒い円を一定の位置に配置すると、実際には描かれていない図形や文字が主観的輪郭として浮かび上がって見える錯視現象である。すなわち、この錯視は、複数の黒い円を錯視させたい主観的輪郭の角部に該角部の形状に合わせた欠けた部分を配することで、明暗対比が生じて主観的輪郭があたかも浮き出したかのようにして見える視覚効果を生むものである。
【００２３】
また、ディスプレイ装置１は、図２に示すように、同時に発光させる複数の発光部５の組合せを変更可能な発光制御部６を備え、複数の発光部５が、組合せ毎に異なる形状の主観的輪郭の角部に非発光部分５ｂを配して設置されている。本実施形態では、図３の（ａ）〜（ｇ）に示すように、各発光部５の位置及び非発光部分５ｂの向きが、同時に発光させる組合せに応じて、カニッツア錯視によって大小の四角形の主観的輪郭として認識可能なように設定されている。
【００２４】
上記発光制御部６は、全発光部５に接続されて各発光部５の発光制御を行う駆動回路であって、図３の（ａ）〜（ｇ）にそれぞれ示す４つで一組とされる発光部５を、組合せ毎に図３の（ａ）から（ｇ）の順に順次切り替えて同時に発光駆動するものである。
【００２５】
上記発光部５は、例えば白色ＬＥＤのＬＥＤ光源であって、図４に示すように、基板７と、該基板７上に実装されていると共に基板７に金属細線８によるワイヤーボンディングで電気的に接続されたＬＥＤ素子９と、該ＬＥＤ素子９を封止すると共に発光面５ａとなる光出射面を有する封止樹脂部１０と、を備えている。
上記封止樹脂部１０は、その光出射面（発光面５ａ）の一部が遮光膜１１で覆われて非発光部分５ｂとされている。なお、この遮光膜１１は、非発光部分５ｂに対応した扇状に黒色インク等で光出射面上に印刷されている。
【００２６】
ＬＥＤ素子９は、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
また、封止樹脂部１０は、シリコーン樹脂を主剤とし、例えばＹＡＧ蛍光体が添加されている。このＹＡＧ蛍光体は、ＬＥＤ素子９からの青色光又は紫外光を黄色光に変換させて混色効果により白色光を生じさせるものである。なお、白色ＬＥＤとしては、上記以外でも種々のものが採用可能である。
【００２７】
次に、本実施形態のディスプレイ装置１及びこれを備えた携帯電話機２において、ディスプレイ方法について説明する。
【００２８】
まず、発光制御部６により、図３の（ａ）に示すように、同時に発光させる第１の組合せとして互いに隣接した４つの発光部５だけを点灯させる。なお、図中、点灯させた発光部５を黒塗りして図示している。このとき、互いに隣接した４つの発光部５が、小さな四角形の各角部に対応する位置に非発光部分５ｂをそれぞれ配して設置されているので、使用者等は、カニッツア錯覚によって小さな四角形の主観的輪郭を認識することができる。
【００２９】
次に、発光制御部６により、図３の（ｂ）に示すように、同時に発光させる第２の組合せとして第１の組合せの４つの発光部５のうち下側の２つの発光を停止し、さらにその一段下の２つの発光部５を点灯させる。このとき、点灯している４つの発光部５が、先ほどの小さな四角形よりも縦長の四角形の各角部に対応する位置に非発光部分５ｂをそれぞれ配して設置されているので、使用者等は、カニッツア錯覚によって縦長の四角形の主観的輪郭を認識することができる。
【００３０】
このように、発光制御部６により、図３の（ａ）〜（ｇ）に示すように、同時に発光させる４つの発光部５の組合せを図３の（ａ）から（ｇ）の順に変えて順次点灯させることで、カニッツア錯覚による主観的輪郭の四角形が順次大きくなり、使用者等は、あたかも四角形が徐々に拡大していくような感覚の視覚効果を錯視によって得ることができる。
【００３１】
このように本実施形態のディスプレイ装置１では、発光面５ａの一部が欠けて非発光部分５ｂを有する複数の発光部５が、錯視による主観的輪郭の一部となる位置に該一部の形状に合わせた非発光部分５ｂを配して設置されているので、使用者や操作者に錯視を生じさせて所定の文字や図形等の主観的輪郭を視認させることができる。特に、本実施形態では、複数の発光部５が、カニッツア錯視による主観的輪郭の角部となる位置に該角部の形状に合わせた非発光部分５ｂを配して設置されているので、使用者や操作者にカニッツア錯視を生じさせて所定の文字や図形等の主観的輪郭を視認させることができる。
【００３２】
したがって、視認させたい文字や図形等の形状に沿って多数のＬＥＤ光源を設置する従来の場合に比べて、本実施形態では、最低限、主観的輪郭の一部のみに発光部５を配置すればよく、少ない発光部５で所定の文字や図形等を使用者等に錯視によって認識させることができる。
これにより、低コストで、かつ錯視という従来とは異なる視覚効果によって高いデザイン性を得ることができる。
【００３３】
特に、複数の発光部５が、ＬＥＤ光源であるので、ＬＥＤ光源の実装個数が少なくて済み、低コストかつ低電力で錯視による視覚効果を得ることができる。
また、ＬＥＤ光源の発光部５において、ＬＥＤ素子９を封止する封止樹脂部１０の光出射面の一部が、遮光膜１１で覆われて非発光部分５ｂとされているので、遮光膜１１の形状を変えるだけで様々な大きさ及び形状の非発光部分５ｂを容易に形成することができる。
【００３４】
また、複数の発光部５が、組合せ毎に異なる形状の主観的輪郭の一部に非発光部分５ｂを配して設置され、発光制御部６によって上記組合せが変更可能であるので、発光させる発光部５の組合せを変更することで、錯視によって視認される主観的輪郭が変わり、使用者等に対し、あたかも表示された文字や図形等が変わったり、移動したりするように感じさせることができる。
したがって、このディスプレイ装置１を備えた携帯電話機２では、従来と異なる視覚効果によって高いデザイン性を備えることができる。
【００３５】
次に、本発明に係るディスプレイ装置及び電子機器の第２から第６実施形態について、図５から図１２を参照して以下に説明する。なお、以下の各実施形態の説明において、上記実施形態において説明した同一の構成要素には同一の符号を付し、その説明は省略する。
【００３６】
第２実施形態と第１実施形態との異なる点は、第１実施形態では、ディスプレイ装置１を携帯電話機２に搭載しているのに対し、第２実施形態では、図５に示すように、ディスプレイ装置２１をノート型ＰＣ（電子機器）２２の天板２２ａに搭載した点である。
この第２実施形態のディスプレイ装置２１は、例えば、図６に示すように、１０個の発光部５が略円形状に配列されており、第１実施形態より鋭角な楔状に形成された非発光部分５ｂが内側に向けられている。
【００３７】
これら発光部５は、５つで一つの組を構成し、図７の（ａ）及び（ｂ）に示すように、各組合せとも、カニッツア錯視による主観的輪郭となる星形の角部に非発光部分５ｂが配されるように設定されている。なお、図中、点灯させた発光部５を黒塗りして図示している。
第２実施形態では、発光制御部６によって、図７の（ａ）に示す５つの発光部５の組と、図７の（ｂ）に示す５つの発光部５の組と、を交互に発光させることで、カニッツア錯視による主観的輪郭の星形が回転しているような感覚の視覚効果を使用者等に与えることができる。
【００３８】
第３実施形態と第２実施形態との異なる点は、第２実施形態では、カニッツア錯視により星形の主観的輪郭が得られるように複数の発光部５を配置しているのに対し、第３実施形態のディスプレイ装置３１では、図８及び図９に示すように、カニッツア錯視により文字の主観的輪郭が得られるように複数の発光部５を配置している点である。
【００３９】
すなわち、第３実施形態のディスプレイ装置３１では、図８に示すように、使用者等に対してノート型ＰＣ３２の天板３２ａに例えばカニッツア錯視による「ＭＩＴ」の主観的輪郭を認識させるため、図９に示すように、「ＭＩＴ」の文字形状の各角部に、角部に対応した形状とされた非発光部分５ｂを配して発光部５を設置し、発光させている。なお、図８では、カニッツア錯視による「ＭＩＴ」の主観的輪郭を、実際に線を引いて図示している。なお、図９中、点灯させた発光部５を黒塗りして図示している。
このように第３実施形態では、カニッツア錯視により「ＭＩＴ」の文字が主観的輪郭としてノート型ＰＣ２２の天板２２ａに浮かび上がるように、使用者等に認識させることができる。
【００４０】
第４実施形態と第３実施形態との異なる点は、第３実施形態では、ＬＥＤ光源による発光部５を複数設置しているのに対し、第４実施形態のディスプレイ装置４１は、図１０に示すように、面状光源４９と、該面状光源４９上に設置され発光部の発光面５ａとなる複数の光透過部４５のみ光が透過可能な表示板４３と、を備えている点である。なお、図中、光透過部４５を黒塗りして図示している。
【００４１】
上記面状光源４９は、例えば入射された光を導光すると共に光路変換して上面から面状の照明光を出射する導光板（図示略）と、該導光板の端部に設置され出射光を導光板内に入射させるＬＥＤ光源や蛍光管等の光源（図示略）と、を備えたバックライトユニットである。
上記表示板４３は、例えば透明シートや透明ケースの表面に発光面５ａとなる光透過部４５以外を黒色インク等で印刷して遮光した構造とされている。
このように第４実施形態のディスプレイ装置４１では、表示板４３を面状光源４９で照明して透明な光透過部４５を発光面５ａとして点灯させるので、大面積にも容易に対応可能になると共に、複数の光透過部４５の位置を変更した表示板４３に取り替えるだけで、容易に様々な主観的輪郭をカニッツア錯視により認識させることが可能である。
【００４２】
第５実施形態と第１実施形態との異なる点は、第１実施形態では、発光部５が、封止樹脂部１０の光出射面の一部が遮光膜１１で覆われて非発光部分５ｂとされているＬＥＤ光源であるのに対し、第５実施形態の発光部５５は、図１１に示すように、基板５７と、基板５７上に実装したＬＥＤ素子９と、該ＬＥＤ素子９の周囲に設けられＬＥＤ素子９からの光を上方に反射させる反射面を有した反射カップ５０と、該反射カップ５０の上方を覆って設置され一部が光透過可能な発光面５ａとされたカップ上シート５１と、を備えている点である。
【００４３】
上記カップ上シート５１は、反射カップ５０上の円形状領域５ｃが発光面５ａと黒い非発光部分５ｂとで構成されていると共に、円形状領域５ｃの周囲も黒色とされて遮光されている。
すなわち、この第５実施形態では、発光部５５において、ＬＥＤ素子９から出射された光が反射カップ５０で上方に反射され、反射カップ５０を覆うカップ上シート５１の光透過可能な発光面５ａを介して外部に出射されるため、非発光部分５ｂで円形状領域５ｃの一部が欠けた発光面５ａが点灯する。
【００４４】
したがって、第５実施形態でも、第１実施形態と同様に、錯視による主観的輪郭の一部となる位置に該一部の形状に合わせた非発光部分５ｂを配して発光部５５を設置することで、使用者等に錯視を生じさせて所定の文字や図形等の主観的輪郭を視認させることができる。また、第５実施形態では、カップ上シート５１を取り替えることで、様々な形状の非発光部分５ｂで円形状領域５ｃの一部が切り欠かれて形成された発光面５ａを設定することができる。
【００４５】
なお、第５実施形態は、ＬＥＤ素子９一つに対して一つのカップ上シート５１を設置しているが、複数のＬＥＤ素子９が実装された光源上面に、各ＬＥＤ素子９に対応した複数の発光面５ａを有する大判のカップ上シートを設置した態様としても構わない。この場合、全体として、カップ上シート５１の設置枚数を減らすことが可能である。
【００４６】
第６実施形態と第１実施形態との異なる点は、第１実施形態では、発光部５が、封止樹脂部１０の光出射面の一部が遮光膜１１で覆われて非発光部分５ｂとされているＬＥＤ光源であるのに対し、第６実施形態の発光部６５は、図１２に示すように、図示しないＬＥＤ素子を備えたＬＥＤ光源（光源）６８と、該ＬＥＤ光源６８の光出射面６８ａに光入光面となる端面６９ａを対向させて配置された小型板状の導光体６９と、該導光体６９の光出射面である主面に載置され一部が光透過可能な発光面５ａとされた導光体上シート６１と、を備えたものである点である。
【００４７】
上記導光体６９は、ＬＥＤ光源６８からの光を入光して導光し光路変換して主面から出射するもので、樹脂等で形成されている。
上記導光体上シート６１は、円形状の発光面５ａの一部が楔状に欠けて黒い非発光部分５ｂとされていると共に、発光面５ａの周囲も黒色とされて遮光されている。
すなわち、この第６実施形態では、発光部６５において、ＬＥＤ光源６８から出射された光が導光体６９の端面６９ａから内部に入射され、導光体６９内で導光されると共に光路変換されて主面から面状に出射される。このとき、出射される光が、主面を覆う導光体上シート６１の光透過可能な発光面５ａを介して外部に出射されるため、非発光部分５ｂで切り欠かれた発光面５ａが点灯する。
【００４８】
したがって、第６実施形態でも、第１実施形態と同様に、錯視による主観的輪郭の一部となる位置に該一部の形状に合わせた非発光部分５ｂを配して発光部６５を設置することで、使用者等に錯視を生じさせて所定の文字や図形等の主観的輪郭を視認させることができる。また、第６実施形態では、発光面５ａの面積を第１実施形態に比べて大きくすることができ、より広いディスプレイ表示が可能になる。
【００４９】
なお、本発明は上記各実施形態に限定されるものではなく、本発明の趣旨を逸脱しない範囲において種々の変更を加えることができる。
【００５０】
例えば、上記第５実施形態では、反射カップ及びカップ上シートを用いたＬＥＤ光源を発光部としているが、カップ上シートを用いず、反射カップ自体の一部を黒色に印刷して非反射面の非発光部分とした発光部を採用しても構わない。
【００５１】
また、ＬＥＤ光源としてＲＧＢ−ＬＥＤを用いて、あらゆる色の光を出射させることも可能である。例えば、ＲＧＢ−ＬＥＤとして、一つのパッケージに赤色ＬＥＤ素子（Ｒ）、緑色ＬＥＤ素子（Ｇ）及び青色ＬＥＤ素子（Ｂ）を実装したＬＥＤを光源としても構わない。この場合、各ＬＥＤにおいて印加電流を制御することで、様々な色で発光させることが可能になり、デザイン性が向上する。
【００５２】
さらに、同時に発光させる組合せ毎に、発光色の異なるＬＥＤ光源をそれぞれ配置しても構わない。この場合、組合せ毎に、様々な色で発光させることが可能になる。
このように発光部の発光色を変えることにより、カニッツア錯視等の錯視による主観的輪郭の視覚効果も変えることができる。
【００５３】
また、第４実施形態では、上述したように透明シート等表面に光透過部以外を黒色インク等で印刷して遮光した表示板を採用しているが、液晶表示パネルの表示板を採用しても構わない。この場合、液晶駆動回路によって液晶表示パネルにおける光透過部の位置や形状を変更することで、様々な位置及び形状の発光部が得られ、多様な錯視を得ることが可能になる。
【００５４】
また、本発明のディスプレイ装置を携帯電話機やノート型ＰＣに搭載したが、ＰＤＡや家電製品等の他の電子機器に用いても構わない。さらに、本発明のディスプレイ装置を、壁掛けディスプレイや看板等の単体で使用しても構わない。
【図面の簡単な説明】
【００５５】
【図１】本発明に係るディスプレイ装置及び電子機器の第１実施形態において、ディプレイ装置を搭載した携帯電話機を示す正面図である。
【図２】第１実施形態において、ディスプレイ装置を示す簡易的な構成図である。
【図３】第１実施形態において、ディスプレイ装置によるディスプレイ方法を説明するために、携帯電話機を発光部の点灯順に示す正面図である。
【図４】第１実施形態において、ＬＥＤ光源の発光部を示す斜視図及び上面図である。
【図５】本発明に係るディスプレイ装置及び電子機器の第２実施形態において、ディプレイ装置を搭載したノート型ＰＣを示す斜視図である。
【図６】第２実施形態において、ディスプレイ装置の全発光部の配置を示す平面図である。
【図７】第２実施形態において、ディスプレイ装置の同時に発光する組合せ毎に発光部の配置を示す平面図である。
【図８】本発明に係るディスプレイ装置及び電子機器の第３実施形態において、ディプレイ装置を搭載したノート型ＰＣを示す斜視図である。
【図９】第３実施形態において、ディスプレイ装置の全発光部の配置を示す平面図である。
【図１０】本発明に係るディスプレイ装置及び電子機器の第４実施形態において、ディプレイ装置の構成を示す簡易的な分解斜視図である。
【図１１】本発明に係るディスプレイ装置及び電子機器の第５実施形態において、発光部を示す分解斜視図である。
【図１２】本発明に係るディスプレイ装置及び電子機器の第６実施形態において、発光部を示す斜視図である。
【符号の説明】
【００５６】
１，２１，３１，４１…ディスプレイ装置、２…携帯電話機（電子機器）、４…表示領域、５，５５，６５…発光部、５ａ…発光面、５ｂ…非発光部分、６…発光制御部、９…ＬＥＤ素子、１０…封止樹脂部、１１…遮光膜、２２，３２…ノート型ＰＣ（電子機器）、４３…表示板、４５…光透過部、４９…面状光源、５０…反射カップ、５１…カップ上シート、６１…導光体上シート、６８…ＬＥＤ光源（光源）、６９…導光体
【図１】
2010004178.tif 000003
【図２】
2010004178.tif 000004
【図３】
2010004178.tif 000005
【図４】
2010004178.tif 000006
【図６】
2010004178.tif 000007
【図７】
2010004178.tif 000008
【図９】
2010004178.tif 000009
【図１０】
2010004178.tif 000010
【図１１】
2010004178.tif 000011
【図１２】
2010004178.tif 000012
【図５】
2010004178.tif 000013
【図８】
2010004178.tif 000014